(57)【要約】【課題】  発光ダイオードを光源とし、直列接続された発光ダイオードに不点灯が発生しても、不点灯箇所の光度低下が視認されにくい照明灯を提供する。【解決手段】  照明灯１は、長尺状に形成された基板８，１０の長手方向の一端側８ａ，１０ａから他端側８ｂ，１０ｂに向かって複数の列状に配設されるとともに各列のそれぞれが直列的に電気接続された複数の発光ダイオード列９，１１を有する発光板２，３と、一端側４ａに周回に亘る取付け部３０を有し、他端側４ｂが被取付け対象に取り付けられ、発光板２，３が取付け部３０に複数取り付けられた灯体４と、発光板２，３の発光ダイオード列９，１１の複数列の少なくとも一部が並列接続となるように複数の発光板２，３の各発光ダイオード列９，１１をそれぞれ直列接続する電気接続手段５と、電気接続手段５により直列接続された発光ダイオード列９，１１に電流を供給する電源装置６を具備している。【選択図】図２
2012195204.tif 000002
【特許請求の範囲】
【請求項１】
長尺状に形成された基板およびこの基板の長手方向の一端側から他端側に向かって複数の列状に配設されるとともに各列のそれぞれが直列的に電気接続された複数の発光ダイオード列を有する発光板と；
一端側に周回に亘る取付け部を有し、他端側が被取付け対象に取り付けられ、前記発光板が前記取付け部に複数取り付けられた灯体と；
前記発光板の発光ダイオード列の複数列の少なくとも一部が並列接続となるように複数の発光板の各発光ダイオード列をそれぞれ直列接続する電気接続手段と；
この電気接続手段により直列接続された前記発光ダイオード列に電流を供給する電源装置と；
を具備していることを特徴とする照明灯。
【請求項２】
複数の発光板は、それぞれ一対を成すように設けられ、一方の発光板の基板の一端側および他方の発光板の基板の他端側が同一方向を向くように前記取付け部に取り付けられていることを特徴とする請求項１記載の照明灯。
【請求項３】
電気接続手段により各発光ダイオード列がそれぞれ直列接続された複数の発光板のうちの少なくとも一対の発光板は、灯体の中心軸に対して互いに反対側に配設されるように前記取付け部に取り付けられていることを特徴とする請求項１または２記載の照明灯。
【発明の詳細な説明】
【技術分野】
【０００１】
本発明の実施形態は、光源として発光ダイオードが用いられ、周回方向に発光ダイオードの放射光を放射する照明灯に関する。
【背景技術】
【０００２】
この種の照明灯としては、例えば航空機等に対して鉄塔やビルなどの高層建造物の存在を注意させるための航空障害灯が知られている。光源としての発光ダイオードは、消費電力が小さく、長寿命であることなどにより、白熱電球やネオン管に替えて使用されるのが一般的となりつつある。そして、発光ダイオードは、その複数個が基板上で直列接続されている。航空障害灯は、当該基板の複数個が例えば円筒状の支持体に周回方向に並べられている。
【０００３】
また、複数個の基板の発光ダイオードを直列接続することが行われている。このとき、直列接続のラインに断線が発生したり、１個の発光ダイオードに不具合が発生して点灯しなくなると、複数個の基板の発光ダイオードの全てが不点灯となる。ここで、互いに隣り合うように並設された複数個の基板が直列接続されている場合には、特定の方向から見た光度が極端に低下するという問題がある。この問題点を最小限にするために、直列接続される複数個の基板を互いに隣接しないように分散配置することが行われている（特許文献１参照。）。すなわち、直列接続された複数個の基板の発光ダイオードに不点灯が発生しても、不点灯箇所が分散して光度低下の影響が軽減されるものである。
【先行技術文献】
【特許文献】
【０００４】
【特許文献１】実願平２−８３６９３号（実開平４−４２００９号）のマイクロフィルム（第５−６頁、第２図）
【発明の概要】
【発明が解決しようとする課題】
【０００５】
１個の発光ダイオードに不点灯が発生すると、直列接続された複数個の基板の全ての発光ダイオードが不点灯となるので、例え不点灯箇所が分散されるように複数個の基板が分散配置されていても、当該不点灯箇所の光度の低下が視認されやすい。すなわち、不点灯箇所を分散させた場合であっても、より光度低下を抑制することが望ましい。
【０００６】
本発明の実施形態は、発光ダイオードを光源とし、直列接続された発光ダイオードに不点灯が発生しても、不点灯箇所の光度低下が視認されにくい照明灯を提供することを目的とする。
【課題を解決するための手段】
【０００７】
実施形態の照明灯は、発光板、灯体、電気接続手段および電源装置を有して構成される。
【０００８】
発光板は、基板およびこの基板に配設された複数の発光ダイオード列を有してなる。基板は、長尺状に形成されている。発光ダイオード列は、基板の長手方向の一端側から他端側に向かって複数の列状に配設されている。そして、各発光ダイオード列は、直列的に電気接続されている。
【０００９】
灯体は、一端側に周回に亘る取付け部を有し、他端側が被取付け対象に取り付けられる。そして、取付け部に複数の発光板が取り付けられている。
【００１０】
電気接続手段は、発光板の発光ダイオード列の複数列の少なくとも一部が並列接続となるように、複数の発光板の各発光ダイオード列をそれぞれ直列接続するものである。
【００１１】
電源装置は、電気接続手段により直列接続された発光ダイオード列に電流を供給し、発光ダイオードを点灯するように形成されている。
【発明の効果】
【００１２】
本発明の実施形態によれば、電気接続手段により各発光ダイオード列がそれぞれ直列接続された複数の発光板のうちの１つの発光ダイオード列の発光ダイオードが不点灯となっても、他の列状の発光ダイオードが点灯して発光板から発光ダイオードの放射光が放射され、これにより、発光板の不点灯箇所の光度低下が視認されにくくなることが期待できる。
【図面の簡単な説明】
【００１３】
【図１】本発明の実施形態を示す照明灯の保護カバーを透視した概略斜視図である。
【図２】同じく、照明灯を示し、（ａ）は一部切り欠き概略上面図、（ｂ）は一部切り欠き概略正面図である。
【図３】同じく、照明灯の概略回路図である。
【発明を実施するための形態】
【００１４】
以下、本発明の一実施の形態について、図面を参照して説明する。
【００１５】
本実施形態の照明灯１は、航空障害灯であり、図１ないし図３に示すように構成されている。以下、航空障害灯１として説明する。
【００１６】
図２において、航空障害灯１は、鉄塔やビルなどの高層建造物または地面などに設置された支柱等の図示しない被取付け対象に取り付けられている。航空障害灯１は、発光板２，３、灯体４、電気接続手段としての接続線５および電源装置６を有してなり、さらに灯体４に取り付けられた保護カバー７を備えている。
【００１７】
発光板２は、図３に示すように、基板８および複数の発光ダイオード列９を有し、発光板３は、基板１０および複数の発光ダイオード列１１を有して形成されている。発光ダイオード列９，１１は、発光ダイオード１２の集合から成っている。発光板２，３は、それぞれの１つを一対として、例えば２０組Ａ１〜Ａ２０が用いられている。
【００１８】
基板８，１０は、熱伝導性を有する金属板例えば板厚１ｍｍのアルミニウム（Ａｌ）板からなり、長尺状例えば台形状に形成されている。基板８は、その長手方向の一端側８ａが他端側８ｂよりも幅広に形成され、その一面８ｃ側に図示しない絶縁膜を介して２列状に発光ダイオード列９を配設している。各発光ダイオード列９は、複数例えば２０個の発光ダイオード１２が基板８の一端側８ａから他端側８ｂに向かって直線上に実装されているとともに、例えば銅箔からなる配線パターン１３により直列的に電気接続されている。発光ダイオード１２は、可視光を放射するパッケージに形成されている。各発光ダイオード列９には、基板８の一端側８ａから他端側８ｂの方向に電流が流れる。これにより、発光ダイオード１２から可視光が放射される。
【００１９】
そして、基板８の一端側８ａには、配線パターン１３に電気接続されている入力用端子１４ａ，１４ｂが設けられ、他端側８ｂには、配線パターン１３に電気接続されている接続用端子１６ａ，１６ｂが設けられている。また、基板８の一端側８ａおよび他端側８ｂには、一対の取付け孔１７，１７が設けられている。
【００２０】
発光板３の基板１０は、その長手方向の一端側１０ａが他端側１０ｂよりも幅狭に形成され、その一面１０ｃ側に図示しない絶縁膜を介して２列状に発光ダイオード列１１を配設している。各発光ダイオード列１１は、発光ダイオード列９と同様に形成されている。すなわち、例えば２０個の発光ダイオード１２が基板１０の一端側１０ａから他端側１０ｂに向かって直線上に実装されているとともに、配線パターン１３により直列的に電気接続されている。そして、各発光ダイオード列１１には、基板１０の一端側１０ａから他端側１０ｂの方向に電流が流れる。
【００２１】
そして、基板１０の他端側１０ｂには、配線パターン１３に電気接続されている出力用端子１８ａ，１８ｂが設けられ、一端側１０ａには、配線パターン１３に電気接続されている接続用端子２０ａ，２０ｂが設けられている。また、基板１０の一端側１０ａおよび他端側１０ｂには、一対の取付け孔２１，２１が設けられている。
【００２２】
こうして、２０組Ａ１〜Ａ２０の一対の発光板２，３が形成されて、灯体４に取り付けられている。すなわち、灯体４は、複数の発光板２，３を取り付けている。
【００２３】
図２において、灯体４は、例えばアルミダイキャストにより形成され、一端側４ａに有底かつ略円筒状の円筒体２２、他端側４ｂに円盤状の取付け架台２３およびこの取付け架台２３に立設する略四角筒状の支持体２４を備えている。灯体４は、取付け架台２３に設けられたボルト孔２５に挿通された図示しないボルトが図示しない被取付け対象に取り付けられることにより、被取付け対象に取り付けられている。
【００２４】
円筒体２２の外周面２２ａには、外方に放射状に突出する放熱フィン２６が形成されている。そして、円筒体２２には、天板部２７を有する略円錐台状に形成された取付け体２８が設けられている。取付け体２８は、円筒体２２の下面２２ｂ側からねじ２９により円筒体２２に取り付けられている。そして、取付け体２８の外周面２８ａは、発光板２，３の取付け部３０となっている。すなわち、灯体４は、取付け体２８により、一端側４ａに周回に亘る取付け部３０を有している。取付け部３０には、取付け体２８の周回方向に隣接するようにして、２０組Ａ１〜Ａ２０の一対の発光板２，３が取り付けられている。
【００２５】
取付け部３０の上端側３０ａおよび下端側３０ｂには、取付け体２８の周回方向にそれぞれの所定間隔で図示しないねじ孔が形成されている。このねじ孔に発光板２の一対の取付け孔１７，１７および発光板３の一対の取付け孔２１，２１に挿通された図示しないねじが螺着されることにより、発光板２，３は、取付け部３０に取り付けられている。このとき、発光板２の基板８は、一端側８ａが取付け部３０の下端側３０ｂとなり、他端側８ｂが取付け部３０の上端側３０ａとなるように、発光板３の基板１０は、他端側１０ｂが取付け部３０の下端側３０ｂとなり、一端側１０ａが取付け部３０の上端側３０ａとなるように、取付け部３０に取り付けられている。すなわち、一対の発光板２，３は、基板８の一端側８ａおよび基板１０の他端側１０ｂが同一方向を向くように取付け部３０に取り付けられている。
【００２６】
また、一対の発光板２，３は、図２（ａ）に示すように、灯体４の中心軸３１に対して互いに反対側に配設されるように取付け部３０に取り付けられている。
【００２７】
そして、取付け体２８の円筒体２２側には、接続基板３２が配設されている。接続基板３２は、例えばガラスエポキシ材からなり、取付け体２８の周回に沿うリング状に形成されている。接続基板３２には、図３に示すように、２０組Ａ１〜Ａ２０の一対の発光板２，３毎に、発光板２の発光ダイオード列９，９に対応して抵抗Ｒ１，Ｒ２が実装され、抵抗Ｒ１の両端に端子３３ａ，３３ｂと、抵抗Ｒ２の両端に端子３４ａ，３４ｂが設けられている。また、発光板３の発光ダイオード列１１，１１に対応して、中継端子３５，３６が設けられている。
【００２８】
発光板２の入力端子１４ａは、リード線３７ａにより抵抗Ｒ１の端子３３ｂに接続され、入力端子１４ｂは、リード線３７ｂにより抵抗Ｒ２の端子３４ｂに接続されている。抵抗Ｒ１の端子３３ａおよび抵抗Ｒ２の端子３４ａは、リード線３８により接続されている。
【００２９】
また、発光板３の出力端子１８ａは、リード線３９ａにより中継端子３５に接続され、出力端子１８ｂは、リード線３９ｂにより中継端子３６に接続されている。中継端子３５および中継端子３６は、リード線４０により接続されている。
【００３０】
そして、抵抗Ｒ２の端子３４ａ（または抵抗Ｒ１の端子３３ａ）は、リード線４１により隣り合う抵抗Ｒ１の端子３３ａ（または抵抗Ｒ２の端子３４ａ）に順次接続され、中継端子３６（または中継端子３５）は、リード線４２により隣り合う中継端子３５（または中継端子３６）に順次接続されている。
【００３１】
接続基板３２は、灯体４の取付け板２８の円筒体２２側に位置しているので、リード線３７ａ，３７ｂ、リード線３９ａ，３９ｂおよびリード線４１，４２は、取付け部３０の下端側３０ｂにて配線されている。
【００３２】
抵抗Ｒ１および抵抗Ｒ２は、それぞれ列状に直列接続される発光ダイオード列９，１１に流れる電流を調整するものであり、同一の抵抗からなっている。すなわち、抵抗Ｒ１および抵抗Ｒ２のそれぞれの抵抗値は、同等となっている。
【００３３】
そして、灯体４の円筒体２２には、図２に示すように、取付け部３０に取り付けられた発光板２，３を覆うように保護カバー７が取り付けられている。保護カバー７は、透光性の例えばアクリル樹脂にて成型され、略カップ状に形成されている。そして、保護カバー７には、ステンレス鋼からなる落下防止ワイヤ４３が接続されている。
【００３４】
電気接続手段としての接続線５，５は、図３に示すように、発光板２の基板８の接続端子１６ａ，１６ｂと、発光板３の基板１０の接続端子２０ａ，２０ｂとをそれぞれはんだにより接続している。基板８の他端側８ｂおよび基板１０の一端側１０ａは、灯体４の取付け部３０の上端側３０ａに位置しているので、接続線５，５は、取付け部３０の上端側３０ａにおける一対の発光板２，３間に配線されている。接続線５，５による前記接続は、２０組Ａ１〜Ａ２０の一対の発光板２，３に対して行われている。こうして、接続線５，５は、発光板２の２列の発光ダイオード列９および発光板３の２列の発光ダイオード列１１がそれぞれ並列接続となるように、一対の発光板２，３の各発光ダイオード列９，１１をそれぞれ直列接続している。
【００３５】
図２において、電源装置６は、灯体４の円筒体２２内に収容されている。電源装置６は、回路基板４４に実装された図示しない回路部品により、発光ダイオード列９，１１に定電流を供給する既知の回路構成で形成されている。すなわち、電源装置６は、発光ダイオード１２を点灯するように形成されている。
【００３６】
電源装置６の出力側は、コネクタ４５を有するリード線４６により接続基板３２を介して一対の発光板２，３に接続されている。すなわち、図３に示すように、リード線４６ａが接続基板３２の抵抗Ｒ１の端子３３ａにはんだにより接続され、リード線４６ｂが中継端子３５にはんだにより接続されている。
【００３７】
こうして、２０組Ａ１〜Ａ２０の一対の基板２，３間において、接続線５，５により２列状に直列接続された発光ダイオード列９，１１に電源装置６から電流が供給される。そして、各発光ダイオード列９，１１の発光ダイオード１２が点灯する。
【００３８】
次に、本発明の実施形態の作用について述べる。
【００３９】
発光板２の発光ダイオード列９，９および発光板３の発光ダイオード列１１，１１は、接続線５，５により２列状に直列接続されている。直列接続された発光ダイオード列９および発光ダイオード列１１の各列には、それぞれ電源装置６から供給される定電流が流れる。これにより、２０組Ａ１〜Ａ２０の発光板２の各発光ダイオード列９および発光板３の各発光ダイオード列１１から発光ダイオード１２の放射光が放射される。放射光は、保護カバー７を透過し、保護カバー７の周回に亘って外方に出射される。この放射光により、航空障害灯１を設置している鉄塔やビル等の高層建造物などが視認される。
【００４０】
そして、直列接続されている発光ダイオード列９，１１の発光ダイオード１２に不具合が発生し、または当該発光ダイオード９，１１を直列接続している配線パターン１３や接続線５，５に断線が発生すると、当該列状の発光ダイオード列９，１１の発光ダイオード１２が不点灯となる。しかし、他の列状の発光ダイオード列９，１１には電源装置６から供給される定電流が流れるので、一対の発光板２，３からは、光度が減少するにしても、発光ダイオード１２の放射光が放射される。したがって、２列のうち、１列の発光ダイオード列９，１１の発光ダイオード１２が不点灯となっても、航空障害灯１を視認したときの不点灯箇所の光度低下が視認されにくい。
【００４１】
そして、一対の発光板２，３が灯体４の中心軸３１に対して互いに反対側に配設されていることにより、航空障害灯１を視認したときに、一対の発光板２，３のうちの一方の不点灯箇所が視認対象となるので、航空障害灯１を視認したときの不点灯箇所の光度低下がより視認されにくくなる。
【００４２】
本実施形態によれば、照明灯１は、基板８，１０の長手方向の一端側８ａ，１０ａから他端側８ｂ，１０ｂに向かって複数の列状に配設されるとともに各列のそれぞれが直列的に電気接続された複数の発光ダイオード列９，１１を有する発光板２，３と、発光板２，３の発光ダイオード列９，１１の複数列が並列接続となるように、複数の発光板２，３の各発光ダイオード列９，１１をそれぞれ直列接続する電気接続手段としての接続線５，５とを具備しているので、接続線５，５により各発光ダイオード列９，１１がそれぞれ直列接続された複数の発光板２，３のうちの１つの発光ダイオード列９，１１の発光ダイオード１２が不点灯となっても、他の列状の発光ダイオード１２が点灯して発光板２，３から発光ダイオード１２の放射光が放射され、これにより、発光板２，３の不点灯箇所の光度低下が視認されにくくなるという効果を有する。
【００４３】
また、一対の発光板２，３は、灯体４の中心軸３１に対して互いに反対側に配設されるように灯体４の取付け部３０に取り付けられているので、航空障害灯１を視認したときに、一対の発光板２，３のうちの一方の不点灯箇所が視認対象となり、これにより、航空障害灯１を視認したときの不点灯箇所の光度低下がより視認されにくくなるという効果を有する。
【００４４】
また、一対の発光板２，３は、一方の発光板２の基板８の一端側８ａおよび他方の発光板３の基板１０の他端側１０ｂが同一方向を向くように灯体４の取付け部３０に取り付けられているので、取付け部３０の上端側３０ａおよび下端側３０ｂにおいて、接続線５，５、リード線３７ａ，３７ｂ、リード線３９ａ，３９ｂおよびリード線４１，４２を引き回すことなく配線することができて、接続作業を容易に行えるという効果を有する。
【００４５】
なお、発光板２，３には、それぞれ２列状に発光ダイオード列９，１１を設けたが、３列状以上に設けてもよい。そして、３列以上の複数列の場合には、発光板２，３において、例えば２列が直列接続されて、この直列接続された列と他の列とが電気接続手段としての接続線５により並列接続されるようにしてもよい。この場合、接続線５は、発光板２，３の発光ダイオード列の少なくとも一部が並列接続となるように複数の発光板２，３の各発光ダイオード列をそれぞれ直列接続するものである。このとき、発光板２，３の直列接続される発光ダイオード１２の総数は、列状毎に同数とされる。
【００４６】
また、一対の発光板２，３に形成しなくてもよく、例えば発光板２または発光板３を３枚以上の直列接続するようにしてもよい。また、発光板２，３の灯体４の取付け部３０への取付け方向は、限定されないものである。そして、航空障害灯１は、発光板２，３が円筒体２２に対して水平方向となるようにして取付け部３０に取り付けられる構成のものであってもよい。
【００４７】
また、発光ダイオード１２は、パッケージ品に限らず、ＬＥＤベアチップを基板８，１０に実装したものであってもよい。
【００４８】
そして、本実施形態は、照明灯として、航空障害灯１で説明したが、これに限らず、例えば保護カバー７に文字や絵柄などを表示した表示灯、案内灯や標識灯、あるいは屋外や室内を照明するための設置灯などに適用してもよい。
【符号の説明】
【００４９】
１・照明灯、  ２，３・発光板、  ４・灯体、  ５・電気接続手段としての接続線、  ６・電源装置、  ８，１０・基板、  ９，１１・発光ダイオード列、  １２・発光ダイオード、  ３０・取付け部
【図１】
2012195204.tif 000003
【図２】
2012195204.tif 000004
【図３】
2012195204.tif 000005